(57)【要約】【課題】各作業者のタスク領域を個別に効率良く空調を行う技術を提供する。【解決手段】作業者が作業するタスク領域の少なくとも一部を仕切る間仕切りの筐体内に組み込まれ、前記筐体のうち、前記タスク領域の上部と対応する位置に、前記タスク領域の幅方向に長手のスリット状に形成された開口であり、前記タスク領域側に向けて温調された空気を吹き出す吹出口と、前記吹出口より下側に配置され、前記タスク領域の空気を吸い込む吸込口と、前記吹出口の下部に設けられ、空気の流れを制限する制限部材とを備える空調装置を有する。【選択図】図１
2018013327.tif 000002
【特許請求の範囲】
【請求項１】
作業者が作業するタスク領域の少なくとも一部を仕切る間仕切りの筐体内に組み込まれ、
前記筐体のうち、前記タスク領域の上部と対応する位置に、前記タスク領域の幅方向に長手のスリット状に形成された開口であり、前記タスク領域側に向けて温調された空気を吹き出す吹出口と、
前記吹出口より下側に配置され、前記タスク領域の空気を吸い込む吸込口と、
前記吹出口の下部に設けられ、空気の流れを制限する制限部材と、
を備える空調装置を有することを特徴とする空調装置付き机。
【請求項２】
前記吹出口及び前記吸込口が、前記筐体のタスク領域側の面に設けられていることを特徴とする請求項１に記載の空調装置付き机。
【請求項３】
前記吹出口から吹き出される空気の給気経路において前記吹出口より前記空気の給気方向上流側に前記吹出口と近接して配置され、前記供給経路側に有する屈曲面により前記給気経路を通る空気を前記タスク領域側へ偏向する屈曲部と、
前記吹出口の下端から前記空気の吹き出し方向と反対側へ延伸させた面を形成する膨出部と、
を備えることを特徴とする請求項１又は２に記載の空調装置付き机。
【請求項４】
熱源との間で熱媒体が循環し、前記吸込口から吸い込んだ空気と前記熱媒体との熱交換を行うことで当該空気を温調する熱交換器を前記筐体内に備え、前記熱交換器によって温調された空気を前記吹出口から吹き出させることを特徴とする請求項１から３の何れか１項に記載の空調装置付き机。
【請求項５】
前記吹出口から吹き出される空気の温度が、前記タスク領域周囲の温度よりも低いことを特徴とする請求項１から４の何れか１項に記載の空調装置付き机。
【発明の詳細な説明】
【技術分野】
【０００１】
本発明は、事務その他の作業を行うタスク領域（作業領域）の空調に関するものである。
【背景技術】
【０００２】
例えば事務所の執務者など、屋内で作業する作業者に対する温熱環境の改善については、多種の解決策が提案されているが何れの解決策においても全ての執務者を満足させるには至っていない。例えば、執務室全体を空調する方式では、以下のような問題点があった。
【０００３】
外出から戻った執務者が、執務室全体の空調温度の設定を強めると、過度な設定となることがあり、無駄なエネルギを消費する。
【０００４】
また、近接するエリアで異なる空調設定をすると、ミキシングロスを起こす。
【０００５】
全体の空調では必ず温熱的に満足しない執務者がおり、その執務者が電気ヒータ等エネルギ効率の悪い温調器具を持ち込み、建物全体の消費エネルギを増やす。
【０００６】
そこでパーソナル空調、例えば床吹出方式の空調システム（特許文献１）や温度調整機能を有した椅子（特許文献２）等により、各執務者の温熱環境を個別に調整できるようにして、各執務者の満足度を向上させることが提案されている。
【０００７】
また、特定空間への給気を行うものとして、特許文献３では、空気中に含まれる微粒子をフィルタ手段によって除去し、この清浄空気を層流として所定の空間に流すことにより、所定の空間に清浄空気のエアバリアを形成するクリーンブースが提案されている。
【先行技術文献】
【特許文献】
【０００８】
【特許文献１】特開２０１０−２３６８２０号公報
【特許文献２】特開２００９−２２５９２３号公報
【特許文献３】特開平０６−２２１６３９号公報
【発明の概要】
【発明が解決しようとする課題】
【０００９】
上記の床吹出方式（特許文献１）や温度調整機能を有した椅子（特許文献２）を用いれば、各執務者が温熱環境を個別に設定できるが、前者では温調された空気を各執務者の近くに搬送する動力が大きく、後者では各人ごとに電気を用い、何れも効率が悪いといった問題があった。
【００１０】
また、特許文献３のクリーンブースは、白血病患者などのために開放型の簡易無菌ブースを提供するためのもので、事務その他の作業を行うタスク領域にそれぞれ設置して温熱環境の改善に適用できるものでは無かった。例えば、所定の空間（タスク領域）全体を層流で満たすためには、多大な搬送動力が必要となり、効率が悪いという問題がある。
【００１１】
そこで本発明は、各作業者のタスク領域を個別に効率良く空調を行う技術の提供を目的とする。
【課題を解決するための手段】
【００１２】
上記課題を解決するため、本発明の空調装置付き机は、作業者が作業するタスク領域の少なくとも一部を仕切る間仕切りの筐体内に組み込まれ、前記筐体のうち、前記タスク領域の上部と対応する位置に、前記タスク領域の幅方向に長手のスリット状に形成された開口であり、前記タスク領域側に向けて温調された空気を吹き出す吹出口と、前記吹出口より下側に配置され、前記タスク領域の空気を吸い込む吸込口と、前記吹出口の下部に設けられ、空気の流れを制限する制限部材と、を備える空調装置を有する。前記空調装置付き机は、独立した前記間仕切りと机とを組み合わせて配置し、前記空調装置付き机としてのユニットを構成するものでも良いし、前記間仕切りと机とが一体的に構成されたものであっても良い。
【００１３】
前記空調装置付き机は、前記吹出口及び前記吸込口が、前記筐体のタスク領域側の面に設けられても良い。
【００１４】
前記空調装置付き机は、前記吹出口の下部に制限部材が設けられ、前記吹出口の上部を通る空気は前記制限部材を介さずに吹き出させ、前記吹出口の下部を通る空気は前記制限部材を介して当該空気の流れを制限しても良い。
【００１５】
前記空調装置付き机は、熱源との間で熱媒体が循環し、前記吸込口から吸い込んだ空気と前記熱媒体との熱交換を行うことで当該空気を温調する熱交換器を前記筐体内に備え、前記熱交換器によって温調された空気を前記吹出口から吹き出させても良い。
【００１６】
前記空調装置付き机は、前記吹出口から吹き出される空気の温度が、前記タスク領域周囲の温度よりも低くても良い。
なお、上記の手段は、可能な限り互いに組み合わせて使用することができる。
【発明の効果】
【００１７】
本発明によれば、各作業者のタスク領域を個別に効率良く空調を行う技術の提供が可能となる。
【図面の簡単な説明】
【００１８】
【図１】本実施形態における空調システムの概略構成を示す図である。
【図２】タスク空調装置を内蔵した衝立の外観斜視図である。
【図３】タスク空調装置の内部構成を示す図である。
【図４】タスク空調装置要部の分解斜視図である。
【図５】吸込みチャンバを示す図である。
【図６】手前側のタスク領域を空調するタスク空調装置の要部を示す図である。
【図７】衝立内に収められたタスク空調装置要部の縦断面を示す図である。
【図８】吹出口を説明するための比較例を示す図である。
【図９】吹出口の例を示す図である。
【図１０】は、膨出部を省略した例を示す図である。
【図１１】暖房時に下部吹出口から吹き出された暖気の流れの説明図である。
【図１２】風量を変化させた場合の気流の状態を示す図である。
【図１３】吹出口に設ける制限部材の具体例を示す図である。
【発明を実施するための形態】
【００１９】
以下、図面を参照して、本発明の一実施形態に係る空調システムについて説明する。以下の実施形態の構成は例示であり、本発明の空調システム及びタスク空調装置は、実施形態の構成には限定されない。
【００２０】
《空調システム》
図１は、本実施形態における空調システムの概略構成を示す図である。本実施形態の空調システム１００は、目的空間（被調和室）の空調を行うものであり、例えば、室内の空気の温度、湿度、清浄度の調整を行う。本実施形態は、空調システム１００をオフィスに適用した例であり、図１に示すように、当該オフィスには目的空間としての執務室１０２や、空調機室１０３が設けられ、空調機室１０３には空調機１０４が設置されている。空調機１０４は、配管１０５を介して不図示の熱源と接続されたコイル１４１や加湿器１４２、送風機１４３を備えている。執務室１０２の天井１２１は、天井スラブ１２９との間に空間を設けた二重天井構造となっており、執務室１０２の天井１２１には、吹出口１４４及び還気口１４５が複数設けられている。吹出口１４４は、天井裏空間に形成された給気経路１４６を介して空調機１０４と連通されている。また、還気口１４５は、天井裏空間に形成された還気経路１４７を介して空調機１０４と連通されている。これらの空調機１０４、吹出口１４４、還気口１４５、給気経路１４６、還気経路１４７等が本実施形態のアンビエント空調装置を構成している。
【００２１】
また、執務室１０２には、複数の机９が設置されており、この机９の設置された領域が事務作業等を行うタスク領域となっている。そして、背中合わせにした机９の間に配置した衝立１０６にタスク空調装置を内蔵したことにより、タスク空調装置をタスク領域に隣接させている。このタスク空調装置とアンビエント空調装置が本実施形態の空調システム１００を構成している。
【００２２】
《タスク空調装置》
図２は、タスク空調装置１を内蔵した衝立１０６の外観斜視図、図３は、タスク空調装置１の内部構成を示す図、図４は、タスク空調装置要部の分解斜視図である。
【００２３】
タスク空調装置１は、執務室の床１２２（図３）に立設され、図２に示すように、机９の間の間仕切りとして用いられる衝立１０６の筐体内に収められている。衝立１０６は、垂直に立てられた略板状の外形、一方の平面側に机９が背を向けて配置され、他方の平面側にも同様に机９が背を向けて配置されている。机９は、左右一対の脚部９２上に天板９１が水平に取り付けられている。なお、本実施形態では、衝立１０６と机９とを独立に設けて空調装置付き机としての一つのユニットを構成しているが、衝立１０６と机９とを一体に設けて空調装置付き机を構成しても良い。即ち、間仕切りと一体に構成された机にタスク空調装置が備えられても良い。
【００２４】
各執務者は、それぞれ机９の前に座り、衝立１０６に向かって事務その他の作業を行う。即ち、各衝立１０６の机側の空間がタスク領域となっている。なお、以下の説明では、各衝立１０６（タスク空調装置１）について、空調を行うタスク領域側を手前、その反対側を奥行側、机の幅方向、即ちタスク領域の幅方向を左右方向とする。
【００２５】
タスク空調装置１のタスク領域側の面（外装パネル）１１には、タスク空調装置１の吹出口３０や、吸込口１０、操作部８、下部吹出口６０を備えている。吹出口３０は、衝立１０６の筐体のうち、前記タスク領域の上部に対応する位置からタスク領域側に向けて温調された空気を吹き出す。また、吹出口３０はタスク領域の幅方向に長手のスリット状に形成され、前記吹出口３０の上部を開口３０１とし、吹出口３０の下部に前記吹出口の下部を通る空気を制限する制限部材３０２を設けている。制限部材３０２は、通気性を有する部材（通気部材）であり、吹出口３０の下部の通気部材を設ける面は、通気性の素材、通気性の構造で構成することができる。
【００２６】
吸込口１０は、吹出口３０より下側であって、机９の天板９１よりも上に配置され、タスク領域の空気を吸い込む。なお、本実施形態では、メンテナンス性を考慮して吸込口１
０を机９の天板９１よりも上に配置したが、吸込口１０を天板９１よりも下に設けても良い。また、吸込口１０を天板９１よりも上及び下に設けても良い。
【００２７】
本実施形態のタスク空調装置１は、衝立１０６の両面、即ち図２の手前側と奥側に位置するタスク領域の空調を行えるように、１枚の衝立１０６に、２台のタスク空調装置１が備えられている。
【００２８】
図３は、衝立１０６の筐体のうち、タスク領域に面した外装パネル１１を外した状態を模式的に示しており、衝立１０６の筐体内には、吹出しチャンバ３や、コイル２、吸込みチャンバ４、制御部５、下部吹出口６０を有している。なお、本実施形態では、衝立１０６内に２台のタスク空調装置１が備えられているため、図３に示した面と反対側の面にも同様に吹出しチャンバ３や、コイル２、吸込みチャンバ４等が設けられている。
【００２９】
図４は、吹出しチャンバ３を示す図であり、図４（ａ）は正面図、図４（ｂ）は正面側から内部の構成を示した図、図４（ｃ）は背面図である。ここで正面とは、衝立１０６に取り付けられた際にタスク領域側となる面としている。吹出しチャンバ３は、図４（ａ）に示すように正面左側を方形とし、右側を斜め上へ延設した箱状の部材で、正面の右側上部に吹出口３０としてのスリット状の開口を有し、裏面（図４（ｃ））に温調された空気が導入される開口３３を有している。また、吹出しチャンバ３の内部は、図４（ｂ）に示すように、開口３３側から吹出口３０にかけて、給気経路の幅を均等に分割するようにガイドベーン３２が設けられている。
【００３０】
図５は、吸込みチャンバ４を示す図であり、図５（ａ）は正面図、図５（ｂ）は背面図である。吸込みチャンバ４は、図５（ａ）に示すように正面から見て矩形の右上を斜めに切り欠いたような台形で箱状の部材である。吸込みチャンバ４の正面には衝立１０６の吸込口１０から吸い込まれた空気が導入される開口４２と吸込みチャンバ４内の空気が吸い出される開口４１を有している。
【００３１】
図６では、手前側のタスク領域を空調するタスク空調装置１の要部を示しており、衝立１０６内部の奥行方向中央に設けられた中板１３の開口１３ｃの手前にコイル２が取り付けられ、中板１３の開口１３ａ、１３ｂにファン７が取り付けられている。また、中板１３の奥側の面には、吸込みチャンバ４が開口４１，４２を中板１３の開口１３ａ〜１３ｃと一致させるように取り付けられている。そして、中板１３の開口１３ａ，１３ｂに取り付けられたファン７を吹出しチャンバ裏面の開口３３（図４（ｃ））に嵌め込むように吹出しチャンバ３が中板１３の正面に取り付けられている。
【００３２】
また、下部吹出口６０の奥側には下部吹出口用ファン６及び下部吹出しチャンバ６２が設けられ、下部吹出しチャンバ６２がダクト６１を介して吹出しチャンバ３と接続されている。なお、本実施形態では、下部吹出口６０（図２）を左右方向中央の最下部に設けたが、これに限らず他の位置に設けても良く、例えば机９の天板９１よりも下であれば良い。また、下部吹出口６０を複数設けるようにしても良い。即ち、ダクト６１を介して吹出しチャンバ３と接続される下部吹出口用ファン６や下部吹出しチャンバ６２といった下部吹き出し機構を複数配置しても良い。なお、下部吹き出し機構６０，６１，６は、必ずしも設けなければならないものではなく、省略しても良い。特に、タスク空調装置を冷房時にのみ使用する場合には、下部吹き出し機構６０，６１，６を設けなくても良い。
【００３３】
図７は、衝立１０６内に収められたタスク空調装置１要部の縦断面を示している。吸込口１０の内側にはフィルタ１２が設けられ、フィルタ１２の奥側にコイル２が位置し、中板１３の奥側の面に吸込みチャンバ４が設けられている。また、ファン７の手前側には、吹出しチャンバ３が設けられ、ファン７から吹出口３０への給気経路３７を形成している
。この給気経路３７は、図７に示す縦断面において、ファン７から吹出口３０側へ上方に向かって垂直に形成され、吹出口３０の内側で、屈曲部３１により吹出口側、即ちタスク領域側へ屈曲されている。給気経路３７において、屈曲部３１の給気方向上流側には、膨出部３８，３９が設けられ、給気経路３７の奥行方向の幅を狭めている。また、給気経路３７の手前側の面に設けた膨出部３８は、吹出口３０としての開口の下端３０ａから空気の吹き出し方向と反対側へ延伸させた面（下ガイド面）３８１を有している。なお、本実施形態において、この下ガイド面３８１は水平に形成されている。これによりファン７から給気経路３７を介して上方へ送られた空気は、屈曲部３１でタスク領域側へ曲げられ、屈曲部３１内面の先端部分（上ガイド面）３１１と下ガイド面３８１にガイドされて、タスク領域側へ吹き出される。
【００３４】
図８は、吹出口３０の構成を説明するための比較例であり、図９は、吹出口３０の例を示す図である。図８（ａ）に示す吹出口１３０は、図７の吹出口３０と比べて膨出部３８を省略した点が異なり、その他の構成は同じである。図８（ａ）のように膨出部３８が無い構成であると、垂直な給気経路３７を通り上向きに進む空気ＳＡのうち、外装パネル１１の裏面近傍を通る一部の空気ＳＡ１は、屈曲部３１等の空気ＳＡの向きを変える部材の影響が少なく、給気経路３７を上向きに進んだ慣性が優勢であるため、吹出口３０から上向きに吹き出される。また、この上向きに吹き出される一部の空気ＳＡ１に連れて他の空気ＳＡ２，ＳＡ３についても水平方向より上向きに吹出される。このように膨出部３８が無い構成、即ち膨出部３８によって形成される下ガイド面３８１が無い構成であると、空気ＳＡが水平方向よりも上向きに吹き出されてしまい、タスク領域から逸脱してしまうため、望ましくない。
【００３５】
そこで、図８（ｂ）に示すように、給気経路３７と連通するノズル３３０を衝立１０６のタスク領域側の外装パネル１１から水平方向にタスク領域側へ突出させて設け、ノズル３３０のタスク領域側の端部の開口を吹出口３０とする。このようにノズル３３０を設けて、垂直な給気経路３７を通り上向きに進んだ空気ＳＡを屈曲部３１で屈曲した後、直ちに吹き出すのではなく、ノズル３３０で空気ＳＡを水平方向へ導き、吹き出す方向を定めて、吹出口３０から吹き出させる。即ち、ノズル３３０の内壁上面を上ガイド面３１１、内壁下面を下ガイド面３８１とし、空気ＳＡが、上ガイド面３１１と下ガイド面３８１にガイドされて、タスク領域側へ水平方向に吹き出される。図８（ｂ）のように、ノズル３３０を外装パネル１１から水平に延設した構成とすれば、外装パネル１１の裏面近傍を通る一部の空気ＳＡ１も含めて空気ＳＡ全体の流れを水平方向に変えた後に吹き出させるので、空気ＳＡを水平方向に吹き出させることができ、タスク領域内へ適切に給気できる。
【００３６】
しかしながら、図８（ｂ）のように、外装パネル１１からノズル３３０が突出した形状であると、この突出部分が邪魔になることがある、また、美観上好ましくないといった問題がある。そこで本実施形態では、図７に示すように、外装パネル１１に設けた開口を吹出口３０とし、吹出口３０から吹き出させる空気の方向を定める上ガイド面３１１及び下ガイド面３８１を外装パネル１１より内側に配置する構成とした。具体的には、吹出口３０の内側で、給気経路３７の上端部に屈曲部３１を配置し、当該屈曲部３１の給気経路側の面を図７に示す縦断面において略円弧状とし、この前端部分、即ち吹出口３０側の部分を水平に形成して上ガイド面３１１とした。また、給気経路３７において、屈曲部３１の給気方向上流側であって、給気経路３７のタスク領域側の面に膨出部３８を設け、当該膨出部３８の上端を吹出口３０としての開口の下端３０ａの高さに位置させ、この下端３０ａから空気の吹き出し方向と反対側へ延伸させた面（下ガイド面）３８１を形成している。これにより、本実施形態のタスク空調装置１を内蔵した衝立１０６は、タスク領域側の面（外装パネル）１１に突出した邪魔な部材を設けることなく、フラットに統一された審美性の高い外観とし、且つ吹出口３０から水平方向へ空気を吹き出させることができ、タスク領域へ適切に給気できる。
【００３７】
なお、本実施形態の屈曲部３１は、図７に示す縦断面において略円弧状とした例を示したが、これに限らず、給気経路３７を通り上向きに進んだ空気ＳＡをタスク領域側へ偏向できる形状であれば良い。図９は、屈曲部の他の例を示す図である。図９（ａ）に示す屈曲部３１ａは、金属製の平板をプレス加工により多段階に曲げた形状である。屈曲部３１ａは、吹出口３０側の水平面３１１、給気方向上流側の垂直面３１２、及びこれら水平面３１１と垂直面３１２をつなぐ傾斜面３１３を有している。屈曲部３１ａは、二段階に曲げた形状としたが、これに限らず、三段階以上に曲げた形状としても良い。このように平面を組み合わせた形状の屈曲部３１ａを図７の屈曲部３１に代えて採用しても、給気経路３７を通り上向きに進んだ空気ＳＡをタスク領域側へ偏向でき、支障なく空気ＳＡを吹き出させることができる。そして、屈曲部３１ａのように平面を組み合わせた形状であると、単純なプレス加工によって形成でき、製造が容易になるという利点がある。
【００３８】
また、図９（ｂ）に示す屈曲部３１ｂは、Ｌ字状の部材であり、吹出口３０側の水平面３１１及び給気方向上流側の垂直面３１２を有している。屈曲部３１ｂは、金属製の平板をプレス加工して形成されても良いし、Ｌ型のケーシング等の汎用品を用いるものであっても良い。このように単純化した形状の屈曲部３１ｂを図７の屈曲部３１に代えて採用しても、給気経路３７を通り上向きに進んだ空気ＳＡをタスク領域側へ偏向でき、支障なく空気ＳＡを吹き出させることができる。そして、屈曲部３１ｂのようにＬ字状の部材であると、汎用品を用いることができ、更に製造が容易になる。
【００３９】
更に、図７に示す構成では、給気経路３７の膨出部３８と対向する位置に膨出部３９を設けたが、この膨出部３９を省略しても良い。図１０は、膨出部３９を省略した例を示す図である。
【００４０】
図１０に示すタスク空調装置１では、図７と比べて、膨出部３９を省略し、屈曲部３１を奥側へ配置し、膨出部３８を奥側へ延伸させた構成としている。また、給気経路３７の膨出部３８より給気方向上流側の奥側の面に膨出部３５を設けている。なお、膨出部３５は、必須の構成要素ではなく、省略可能であるが、膨出部３５や膨出部３８を給気経路３７に設けることで、ファン７の駆動音等の内部の音が吹出口３０から放出されることを抑えられ、静粛性が向上するので、膨出部３５を設けるのが望ましい。
【００４１】
このように図１０の構成では、給気経路３７が図７と比べて奥側に配置されるため、上ガイド面３１１及び下ガイド面３８１の水平方向の長さを長くとることができ、吹出口３０から吹き出す空気の方向をより確実に定めることができる。
【００４２】
《空調制御》
図１に示す空調機１０４は、還気経路１４７を介して還流された還気ＲＡや外部から取り入れた外気ＯＡをコイル１４１で熱交換して所定の温度に調整し、必要に応じて加湿器１４２で加湿し、送風機１４３によって送風し、給気経路１４６を介して執務室１０２の天井１２１に設けた吹出口１４４から吹出させ、執務室１０２内の空調を行う。
【００４３】
一方、衝立１０６に収められたタスク空調装置１は、各執務者に操作されて、各執務者のタスク領域を個別に空調する。特に本実施形態では、衝立１０６内に２台のタスク空調装置１を備え、衝立１０６で仕切る両側のタスク領域１０Ａ，１０Ｂ（図１）をそれぞれ空調する。
【００４４】
具体的には、図７に示すタスク空調装置１におけるファン７の搬送力により、タスク領域の空気が吸込口１０から吸い込まれ、コイル２によって熱交換されて温度が調整される。そして、この温調された空気が、ファン７によって、吸込みチャンバ４から吹出しチャ
ンバ３へ送風され、給気経路３７を介して上方へ送られ、屈曲部３１でタスク領域側へ曲げられて吹出口３０からタスク領域側へほぼ水平、または水平よりも僅かに上向きに吹き出される。ここで、タスク空調装置１及びアンビエント空調装置が冷房運転している場合、タスク空調装置１から吹出される空気の温度が、アンビエント空調装置によって空調される周囲の領域（アンビエント領域）の温度よりも低い温度となるように制御される。このため吹出された空気は徐々に下降し、山なりの気流となる。例えば、アンビエント空調装置は、吹出口１４４から吹き出させる給気の温度を１３℃〜２０℃とし、アンビエント領域の温度、特にタスク領域１０Ａ，１０Ｂを取り囲む領域の温度を２６℃〜２８℃とするように空調する。一方、衝立１０６に内蔵されたタスク空調装置１は、吹出口３０から吹出させる温度を２０℃〜２３℃とする。このようにタスク空調装置１から吹出される空気の温度が、２０℃〜２３℃と、周囲の温度２６℃〜２８℃よりも低いため、吹出された空気は徐々に下降し、山なりの気流となる。なお、タスク領域内の温度は、各執務者によって設定された風量等によって異なるが、例えば２６℃程度に空調される。
【００４５】
また、タスク空調装置１の吹出口３０の下部に制限部材３０２が設けられているため、吹出口３０の上部開口３０１を通る空気と吹出口３０の下部を通る空気とで、下降の程度や広がりの程度が異なる。例えば、吹出口３０上部の開口３０１をとおり、制限部材３０２の制限を受けない空気は、速い流速で吹出口３０から離れた位置へ向かう山なりの気流１ａとなる。即ち、吹出口３０の上部開口３０１を通る空気は、タスク領域の周辺部分を覆う気流となる。また、換言すると、吹出口３０の上部開口３０１を通る空気は、タスク領域を包み込む気流となる。一方、前記吹出口３０の下部を通る空気は制限部材３０２を通る際に抵抗を受けて低速化し、周囲の空気を巻き込みながら広がり、上部の気流１ａと比べて吹出口３０から近い位置で広がりながら下降する気流１ｂとなる。即ち、制限部材３０２を通る空気は、タスク領域の内側部分に広がる気流となる。このように吹出口３０から離れた位置に向かいタスク領域の遠位を空調する気流１ａと、吹出口３０から近い執務者の手元や上半身付近を空調する気流１ｂを形成することによりタスク領域の全域にわたって快適に空調される。換言すると、吹出口３０上部の開口３０１を通った空気によって形成される気流と、吹出口３０下部に設けられた制限部材３０２を通った空気によって形成される気流の違いにより、タスク領域を包み込む気流とタスク領域の内側で広がる気流とが形成され、タスク領域外へ無駄に拡散せずタスク領域内を空調できる。更に、本実施形態では吸込口１０を吹出口３０と同様に衝立１０６の筐体のタスク領域側の外装パネル１１に設けて、タスク領域側の空気を吸い込むことにより、タスク空調装置１から吹き出し、下降した空気をタスク空調装置１へ戻すようにしている。これによりタスク領域の空気が無駄に拡散せず、効率良く個別にタスク領域の空調を行うことができる。また、各タスク領域の空気が無駄に拡散しないことで、他の領域に与える影響が少なく、ミキシングロスを抑えることができる。
【００４６】
本実施形態のタスク空調装置１は、冷房時に吹出口３０から吹出させる給気の温度を上記のように２０℃〜２３℃とし、配管２１を介してコイル２へ供給する熱媒体の温度を１３℃〜１７℃とし、比較的、高温の冷水を供給する。これにより冷房時のコイル２における結露を抑えることができ、ドレン配管を削減することによる装置構成の簡略化や、清掃の手間を省略できることによるメンテナンス性の向上を図ることができる。
【００４７】
更に、本実施形態のタスク空調装置１は、配管２１を介してコイル２へ供給する熱媒体として温水を供給することで、吸込口１０から吸い込んだ空気をコイル２で熱交換して温め、吹出口３０又は下部吹出口６０から吹き出すことで暖房を行うことができる。例えば、給気経路３７に風量調整ダンパ（不図示）を設けて吹出口３０から吹き出す空気を少なく又は止めて、主に下部吹出口６０から執務者の足元へ暖気を吹き出させる。一方、アンビエント空調装置は、タスク領域１０Ａ，１０Ｂを取り囲むアンビエント領域の温度がタスク領域１０Ａ，１０Ｂの温度よりも低くなるように空調する。
【００４８】
図１１は、暖房時に下部吹出口６０から吹き出された暖気の流れの説明図である。下部吹出口６０から吹き出された暖気１ｃは、周囲の温度よりも高いため、徐々に上昇する。但し、下部吹出口６０より上方に、机９の天板９１が設けられているため、一部の暖気１ａ１が天板９１に上昇を遮られて天板９１の下の空間に滞留する。また、天板９１の前端９１ａよりも下部吹出口６０から離れた位置、即ち執務者の着座位置付近に達した暖気１ｃ２は、天板９１を超えて上昇し、天板９１より上の空間に達した暖気１ｃ３が吸込口１０から吸い込まれる。
【００４９】
このように、本実施形態のタスク空調装置１は、下部吹出口６０から暖気１ｃを吹き出し、机９の天板９１より上の空間に達した暖気１ｃ３を吸込口１０から吸い込み、タスク領域内で循環させることにより、暖房時においてもタスク領域の空気が無駄に拡散せず、効率良く個別にタスク領域の空調を行うことができる。また、各タスク領域の空気が無駄に拡散しないことで、他の領域に与える影響が少なく、ミキシングロスを抑えることができる。
【００５０】
また、本実施形態のタスク空調装置１は、空調の設定を各執務者が個別に調整可能となっている。タスク空調装置１の操作部８（図２）は、制御部５（図３）と電気的に接続され、制御部５は、流量調整弁２９や下部吹出口用ファン６（図６）、ファン７、給気経路上のダンパ（不図示）等と電気的に接続されている。操作部８は、スイッチや選択ボタン、調整用のボリューム等、タスク空調装置１の設定を行うユーザインタフェースである。これにより執務者が操作部８を操作すると、制御部５が、流量調整弁２９や下部吹出口用ファン６（図６）、ファン７、給気経路上のダンパ（不図示）等を制御して、空調能力や風量を調整する。また、タスク空調装置１の調整は、手動に限らず、熱画像センサ（不図示）を制御部５と接続し、執務者やタスク領域の熱画像を撮影して、執務者やタスク領域の温度を制御部５で認識し、この温度に基づいてタスク空調装置１を調整しても良い。
【００５１】
例えば、コイル２は、配管２１を介して不図示の熱源との間で、熱媒体が循環されており、流量調整弁２９により、この熱媒体の循環のオン／オフや、熱媒体の流量が制御される。
【００５２】
また、ファン７の回転数が制御されることにより、吹出口３０から吹出す空気の風量が調整される。これにより外出から執務室１０２に戻った場合に空調を強めたい、或は空調の必要性か少ないので空調を弱めたいなどの調整が可能となる。
【００５３】
同様に、下部吹出口用ファン６の回転数が制御されることにより、下部吹出口６から吹出す空気の風量が調整される。これにより足元や座面の蒸れが気になる場合に下部吹出口６から吹出す空気の風量を増加させる。或は足元が冷えないように下部吹出口６からの吹ぎ出しを停止させるといった調整が可能となる。
【００５４】
図１２は、風量を弱・中・強に変化させた場合の気流の状態を示す図である。図１２（ａ）は、風量を弱にセットした場合、例えば２５ｍ3／ｈとした場合であり、気流が主に
執務者の胸から手元のあたりに向けて流れた。
【００５５】
また、図１２（ｂ）は、風量を中にセットした場合、例えば３４ｍ3／ｈとした場合で
あり、気流が主に執務者の顔から胸のあたりに向けて流れた。
【００５６】
図１２（ｃ）は、風量を強にセットした場合、例えば６１ｍ3／ｈとした場合であり、
気流が主に執務者の頭から肩のあたりに向けて流れた。
【００５７】
このように、吹出口３０から吹出す空気の風量を変化させると、気流の当たる位置や強さが変化するため、執務者は状況に応じて所望の風量に調整する。これにより執務者自身が状況に応じて適切な状態を選択できるため、各執務者の満足度が向上する。
【００５８】
なお、この風量を変化させた場合の温度分布を測定したところ、何れの風量でも周囲より冷却された空気は、吹出口３０から離れるに従って下降し、無駄に拡散しないことが確認できた。
【００５９】
本実施形態のタスク空調装置１は、人一人分の顕熱及び照明やＯＡ機器の顕熱を冷房負荷とし、例えば１００Ｗ〜１５０Ｗと設定する。又は、執務者が外出から戻った場合等のために余裕を持たせ、冷房負荷を２００Ｗと設定しても良い。
【００６０】
このように各タスク空調装置で、各タスク領域の負荷を処理できるようにしたことにより、アンビエント空調装置によるアンビエント領域の空調は、換気主体とし、許容できる範囲で空調の程度を低く抑えることにより、空調システム全体の省エネルギ性を向上させることができる。
【００６１】
《制限部材の例》
図１３は、吹出口３０に設ける制限部材の具体例を示す図である。図１３（ａ）の例では、制限部材としてパンチング板３０２を設け、吹出口３０の左右方向の長さを５００ｍｍ、上下方向の高さＨを３３ｍｍとし、このうち上部開口３０１の高さＨ１を７ｍｍ、パンチング板３０２の高さＨ２を２６ｍｍとしている。
【００６２】
この場合の開口部３０１と制限部材３０２の開口面積の比率は、開口部３０１：制限部材３０２＝１：３〜４とした。
【００６３】
なお、パンチング板３０２は、パンチング孔径５ｍｍ、ピッチ８ｍｍの６０度千鳥抜きであり、開口率が３５．４％である。
【００６４】
これにより開口部３０１と制限部材３０２をとおる空気の比率が、開口部３０１：制限部材３０２＝１：１となり、吹出口３０からタスク領域へ吹き出す空気を適切に配分できた。
【００６５】
また、パンチング板３０２のパンチング孔径やピッチをパンチング板の上下で変えても良く、例えば、パンチング板３０２の上部の開口率を高く、下部の開口率を低くしても良い。更に、パンチング板３０２を２枚重ねて備え、これらパンチング板３０２のパンチング孔と骨部との重なりを調整して開口率を変化させても良い。
【００６６】
更に、パンチング板３０２を上下方向に可動として、開口部３０１と制限部材３０２の開口面積の比率を変えても良い。
【００６７】
なお、図１３（ａ）では、制限部材３０２として千鳥抜きしたパンチング板の例を示したが、これに限らず、図１３（ｂ）のように並列に穴を設けた並列型のパンチング板を用いても良い。また、穴の形状についても角穴や長丸穴、六角形穴、菱穴など、丸穴以外であっても良い。制限部材３０２は、パンチング板に限らず、通気性を有する部材（通気部材）であればよく、通気性の素材、通気性の構造で構成することができる。例えば、制限部材３０２は、メッシュや格子、ルーバ、或いはこれらの組み合わせ等、給気の流れを変更できるものであれば良い。また、制限部材３０２は、パンチング板やメッシュ等のように通気孔として明確な開口を有した部材に限らず、不織布やスポンジのように微細な孔を介して空気を通過させる部材であっても良い。制限部材３０２は、金属やプラスチック等
、耐久性やメンテナンス性、形成の容易さ等に応じて、任意の材料を用いることができる。なお、合成樹脂製の網や不織布などを用いる場合は、骨組みに網や不織布を固定する構成を用いても良い。
【符号の説明】
【００６８】
１  タスク空調装置
２  コイル
３  吹出しチャンバ
４  吸込みチャンバ
５  制御部
７  ファン
８  操作部
９  机
１０  吸込口
１２  フィルタ
１３  中板
２１  配管
２９  流量調整弁
３０  吹出口
【図１】
2018013327.tif 000003
【図２】
2018013327.tif 000004
【図３】
2018013327.tif 000005
【図４】
2018013327.tif 000006
【図５】
2018013327.tif 000007
【図６】
2018013327.tif 000008
【図７】
2018013327.tif 000009
【図８】
2018013327.tif 000010
【図９】
2018013327.tif 000011
【図１０】
2018013327.tif 000012
【図１１】
2018013327.tif 000013
【図１２】
2018013327.tif 000014
【図１３】
2018013327.tif 000015
【手続補正書】
【提出日】平成29年8月30日(2017.8.30)
【手続補正１】
【補正対象書類名】特許請求の範囲
【補正対象項目名】全文
【補正方法】変更
【補正の内容】
【特許請求の範囲】
【請求項１】
作業者が机で作業するタスク領域を仕切る間仕切りの筐体内に組み込まれる空調装置であって、
前記間仕切りによって前記間仕切りの片面側に形成される第１のタスク領域に向けて供給される空気を調和する第１の空調機器と、
前記間仕切りによって前記間仕切りの前記片面側とは反対側に形成される第２のタスク領域に向けて供給される空気を調和する第２の空調機器と、を備え、
前記第１の空調機器は、前記第１のタスク領域側から見た場合に前記筐体内の左右両側のうち何れか一方の側に片寄って配置されており、
前記第２の空調機器は、前記第１のタスク領域側から見た場合に前記筐体内の左右両側のうち前記一方の側とは反対側に片寄って配置されている、
空調装置。
【請求項２】
前記空調機器は、空気の温調を行うコイルおよび送風を行うファンを含む、
請求項１に記載の空調装置。
【請求項３】
前記空調機器は、吹出口となる開口を有する吹出しチャンバを含み、
前記第１の空調機器は、前記筐体内の前記一方の側に片寄って配置される第１のコイルおよび第１のファンと、前記第１のタスク領域側から見た場合に前記筐体の左右方向の中心部に開口が位置する第１の吹出しチャンバとを有し、
前記第２の空調機器は、前記筐体内の前記反対側に片寄って配置される第２のコイルおよび第２のファンと、前記第２のタスク領域側から見た場合に前記筐体の左右方向の中心部に開口が位置する第２の吹出しチャンバとを有する、
請求項２に記載の空調装置。